(57)【要約】【課題】  反射膜に屈折率の違う層を追加で設けることで簡単にディスク面に着色することができる両面光ディスク及びこの両面光ディスクを用いた光ディスク装置を提供する。【解決手段】  赤色レーザ光に照射される側に、情報が記録される第１の記録面とこの第１の記録面に成膜された反射膜とを有する第１の記録層を備え、青色レーザ光に照射される側に、前記情報が記録される第２の記録面とこの第２の記録面に成膜された前記反射膜とを有する第２の記録層を備えた両面光ディスクにおいて、前記反射膜は、光の干渉を行う干渉膜と前記レーザ光を全反射させる全反射膜とから構成され、前記干渉膜は屈折率ｎ、厚さｄ（ｎｍ）とした場合、  ｄ＝λ・（２ｍ＋１）／４ｎ  （ｍ＝０，１，２・・・、λ：吸収したい色の波長、ｎ：屈折率）の関係を満足するように構成されたことを特徴とする両面光ディスク。【選択図】      図４
2008084440.tif 000002
【特許請求の範囲】
【請求項１】
赤色レーザ光に照射される側に、情報が記録される第１の記録面とこの第１の記録面に
成膜された反射膜とを有する第１の記録層を備え、青色レーザ光に照射される側に、前記
情報が記録される第２の記録面とこの第２の記録面に成膜された前記反射膜とを有する第
２の記録層を備えた両面光ディスクにおいて、
前記反射膜は、光の干渉を行う干渉膜と前記レーザ光を全反射させる全反射膜とから構
成され、前記干渉膜は屈折率ｎ、厚さｄ（ｎｍ）とした場合、
ｄ＝λ・（２ｍ＋１）／４ｎ
ｍ＝０，１，２・・・
λ：吸収したい色の波長（ｎｍ）
ｎ：屈折率
の関係を満足するように構成されたことを特徴とする両面光ディスク。
【請求項２】
赤色に視覚的に見せるために赤の補色であるシアンの波長の光を吸収し、青色に視覚的
に見せるために青の補色である黄色の波長の光を吸収することを特徴とする前記請求項１
記載の両面光ディスク。
【請求項３】
前記請求項１の両面光ディスクにレーザ光を照射する照射手段と、
前記照射手段によって照射された前記レーザ光からの反射光を受光する受光手段と、
前記受光手段によって受光された前記反射光に基づいて、前記両面光ディスクを再生す
る再生手段とを有することを特徴とする光ディスク装置。
【発明の詳細な説明】
【技術分野】
【０００１】
本発明は、表面及び裏面の両面に情報が記録されてる両面型の光ディスクに関し、更に
詳しくは表面及び裏面の目視による識別が容易な両面型の光ディスクに関する。また、こ
の両面型の光ディスクを用いた装置に関する。
【背景技術】
【０００２】
音や映像情報が記録された再生専用のＤＶＤには、一面側に信号が転写された記録面を
有するディスク基板を、他面側に信号（非記録面）のない平面平板のディスク基板を相互
に貼り合わせてなる片面光ディスクと呼ばれるものと、２枚の片面光ディスクをその非記
録面同士で互いに貼り合せて、その両面に記録面が形成されてなる両面光ディスクと呼ば
れるものとがある。
【０００３】
また、近年では、ＤＶＤの次の世代である高密度記録可能なＨＤ  ＤＶＤ（High densi
ty DVD）やＢＤ（Blu-ray disc）が製品化されつつあり、その中でも一方の記録面がＤＶ
Ｄ、他方の記録面がＨＤ  ＤＶＤといった両面型の光ディスクも考案されてきている。何
れにしても、片面光ディスクは片面からしか情報を読み出せないものであり、両面光ディ
スクは両面から情報を読み出せるものである。
【０００４】
片面光ディスクは情報の読み出しができない側にレーベル印刷を施すことができるが、
両面から情報が読み出せる両面光ディスクにおいては、レーベル印刷を施すスペースが殆
どない。そこで、通常はその識別のために、センターホール近傍の透明な非記録領域に、
表面及び裏面の識別用のラベルを貼着していた。
【０００５】
しかしながら、光ディスクの製造時にラベルの貼り間違いや使用しているうちにラベル
が剥がれたりすることがあることから、ラベルの貼着による識別手段は十分満足するもの
ではなかった。そこで、近年では両面光ディスクにおいて、それぞれの記録面側に、互い
に異なる色の反射膜を設けて、目視により表面及び裏面の識別が外部から可能な両面光デ
ィスクが考案されてきている（特許文献１参照）。
【特許文献１】特開平８−２９７８６３号公報
【発明の開示】
【発明が解決しようとする課題】
【０００６】
上記特許文献１によれば、表面及び裏面のそれぞれの記録面側に互いに異なる色の反射
膜を設けるために、単純に反射膜の色の異なる２枚の片面光ディスクを接着剤で貼り合わ
せている。具体的には、透明なディスク基板の上に反射膜を設けるが、その反射膜を一方
はアルミニウムの蒸着膜、他方は金の蒸着膜とすることによって、上記アルミニウムの蒸
着膜は透明なディスク基板を通して銀色に見え、金の蒸着膜は透明なディスク基板を通し
て金色に見える構成をとっている。それによって、目視により表面及び裏面の識別が外部
から可能であって、しかも、長時間使用しても反射膜の色が消えることは無い、としてい
る。
【０００７】
しかしながら、特許文献１の反射膜の着色方法では、例えば両面光ディスクであって一
方の記録面がＤＶＤ、他方の記録面がＨＤ  ＤＶＤを持つものであった場合、銀色と金色
ではどちらの面がＤＶＤなのか、ＨＤ  ＤＶＤなのか分かり辛い。
【０００８】
また、着色方法については蒸着膜の材料そのものの色を利用しており、プラスチック基
板の染色や反射膜材料の多層化による着色方法についての発想は全くない。
そこで、本発明の目的は、上記の問題を解決するために成されたものであり、ディスク
面への着色においてプラスチック基板を染色した両面光ディスク及びこの両面光ディスク
を用いた光ディスク装置を提供する。
【０００９】
また、本発明の目的は、上記の問題を解決するために成されたものであり、ディスク面
への着色において反射膜材料を多層化した両面光ディスク及びこの両面光ディスクを用い
た光ディスク装置を提供する。
【課題を解決するための手段】
【００１０】
上記した課題を解決するために、この発明は、赤色レーザ光に照射される側に、情報が
記録される第１の記録面とこの第１の記録面に成膜された反射膜とを有する第１の記録層
を備え、青色レーザ光に照射される側に、前記情報が記録される第２の記録面とこの第２
の記録面に成膜された前記反射膜とを有する第２の記録層を備えた両面光ディスクにおい
て、前記反射膜は、光の干渉を行う干渉膜と前記レーザ光を全反射させる全反射膜とから
構成され、前記干渉膜は屈折率ｎ、厚さｄ（ｎｍ）とした場合、
【００１１】
ｄ＝λ・（２ｍ＋１）／４ｎ
ｍ＝０，１，２・・・
λ：吸収したい色の波長（ｎｍ）
ｎ：屈折率
の関係を満足するように構成されたことを特徴とする。
【発明の効果】
【００１２】
この発明によれば、各面に対して情報を読み取れる程度の着色を施し、例えば両面光デ
ィスクの一方の記録面が現行ＤＶＤであり、他方の記録面が次世代ＤＶＤである場合は、
現行ＤＶＤは赤色、次世代ＤＶＤは青色と色分けする。すなわち、赤色レーザーにて情報
を読み出すＤＶＤは赤、青色レーザーにて情報を読み出すＨＤ  ＤＶＤ（あるいはＢＤ）
は青、のように利用者のイメージに沿った色をディスク面に持たせることで、レーベル印
刷ができないといった両面タイプの光ディスクの欠点を補い、利用者が容易に情報記録面
の判別を出来るといった効果をあげることができる。
【００１３】
また、この発明によれば、ディスク着色方法は、成形工程の後に簡単な染色工程を導入
する、若しくは反射膜の手前に屈折率の違う層を追加で設ける、といったことで簡単にデ
ィスク面に着色することができ、コストが最小限かつ通常の片面型の光ディスク生産の妨
げにならない形での製造ラインの改造で実施できることも利点である。
【発明を実施するための最良の形態】
【００１４】
以下、この発明の実施例について、図面を参照しながら詳細に説明する。
図１は本発明の実施形態に係る両面光ディスクの構造図である。図２は片面光ディスク
の構造図である。
一例として図１に示したものは、両面タイプの光ディスクであり一方の記録層１１がＤ
ＶＤ用、もう一方の記録層１２がＨＤ  ＤＶＤ用である。この両面光ディスクの図中下側
から記録層１１に波長６５０ｎｍのＤＶＤ情報再生光（レーザー光）１３が照射され、図
中上側から記録層１２に波長４０５ｎｍのＨＤ  ＤＶＤ情報再生光１４（レーザー光）が
照射される。因みに、ここではレーザー光１３が照射されている側をＤＶＤ面、レーザー
光１４が照射されている側をＨＤ  ＤＶＤ面としている。
【００１５】
また、通常の片面ディスク（図２）においてはもう一方の面がダミーであり、記録再生
には関係ない面であるためレーベル印刷などが施されて消費者はどちらが情報記録面であ
るかが容易に判別できるようになっている。しかし、両面タイプの光ディスクにおいては
図示したようにレーザー光による読み取り面が両面であるため、どちらの面も少なくとも
レーザー光の波長に対して透明である必要がありレーベル印刷等を施すことが出来ない。
【００１６】
そこで本発明では、現世代光ディスクのＤＶＤは再生光が赤色レーザー、次世代光ディ
スクのＨＤ  ＤＶＤ（やＢＤ）は再生光が青色レーザーであることにより、ＤＶＤ面を赤
色、ＨＤ  ＤＶＤ面を青色（若しくは逆にＤＶＤ面の裏側を赤色、ＨＤ  ＤＶＤ面の裏側
を青色）に着色することにより、消費者が視覚的／イメージ的にどちらを再生すればよい
かわかりやすいようにする。ただし、情報再生の妨げにならないよう再生レーザー光に対
しては透明でなければならないため、本発明では着色の方法としては、例としてプラスチ
ック成形材料の染色や反射膜を多層にしてその干渉で発色させる手段をとることにする。
【００１７】
この両面タイプの光ディスクの製造方法を図３に従って説明する。なお、片面２層タイ
プの光ディスクについても、反射膜が半透過か全反射かの違いを除けば製造方法の流れは
同じである。
【００１８】
まずＤＶＤ層の成形を行う。金型１５とＮｉスタンパ１７から射出成形によりＬａｙｅ
ｒ０を転写したＤＶＤ成形基板１０を作製する（ＳＴ２１）。これはＮｉスタンパなどを
型にして射出成形によりプラスチック円盤を作製するもので、成形材料としては一般的に
ポリカーボネートを使用する。なお、Ｎｉスタンパはリソグラフィなどの手段でピット状
の凹凸パターンにより情報を刻んだガラス原盤をニッケルメッキすることにより作られる
。このようにして成形されたＤＶＤプラスチック円盤の情報パターン記録面２に対して反
射膜２１を成膜する（ＳＴ２２）。ここでは両面タイプのディスクを仮定するため、反射
膜２１は金属（一般的にはアルミニウムや銀合金）の全反射膜である。なお片面タイプの
ディスクの場合は半透明膜を成膜する。
【００１９】
これと平行してＨＤ  ＤＶＤ層の成形も行う。この工程もＤＶＤと同じようにＮｉスタ
ンパを用いてＨＤ  ＤＶＤ成形基板２３を作製する（ＳＴ２３）。成形材料としてはポリ
カーボネートを使用する。違うのは情報の記録密度で、ＨＤ  ＤＶＤはＤＶＤの３倍程度
の情報が記録されている。このようにして成形されたＨＤ  ＤＶＤプラスチック円盤（Ｈ
Ｄ  ＤＶＤ成形基板）２３の情報パターン記録面３に対して同様に反射膜２１を成膜する
（ＳＴ２４）。反射膜は金属（一般的にはアルミニウムや銀合金）の全反射膜である。
【００２０】
このようにして作製されたＤＶＤ成形基板１０とＨＤ  ＤＶＤ成形基板２３を接着剤（
一般には紫外線硬化型接着剤）により貼り合せてディスクの形態にする（ＳＴ２５）。Ｄ
ＶＤ、ＨＤ  ＤＶＤ共に寸法が同じであるため問題なく貼り合わせることが出来る。
【００２１】
このようにして両面タイプの光ディスクが完成するが、ディスクの両面が情報読み取り
面であるためレーベル印刷を施すことが出来ない。そのため、ユーザーはどちらがＤＶＤ
面で、どちらがＨＤ  ＤＶＤ面であるか判別することが出来ない。もちろん間違った面を
向けてプレーヤに挿入すると所望の情報は読み出されないため、何らかの判別手段が必要
となる。
【００２２】
そこで本発明では、ディスク面を着色することでユーザーにＤＶＤ／ＨＤ  ＤＶＤの判
別をしやすくし、またその着色方法を提供するものである。
ＤＶＤは赤色レーザーで情報を読み取り、ＨＤ  ＤＶＤは青色レーザーで情報を読み取
るため、着色にはこの２色を用いることとする。ＤＶＤ面を赤に着色するか、ＤＶＤのレ
ーベル面にあたる裏面（ＨＤ  ＤＶＤ面）を赤色に着色するかについては、同種の製品に
て統一が取れていればどちらでも良い。ただし、レーザー光にて情報を再生するため、レ
ーザー光波長に対して透明でなければならない。そのため適度に薄く着色するのはもちろ
んであるが、レーザー光波長に吸収のない色で着色する必要がある。この点、赤色は補色
であるシアンの波長の光を吸収し、青色は補色である黄色の波長の光を吸収するが、共に
再生レーザー光波長（赤と青）に対しては吸収を持たないのでこの点においても好ましい
。
【００２３】
着色方法の一例としては、プラスチック材料に対する染色が挙げられる。具体例を挙げ
ると、ディスク成形材料のポリカーボネートは極性基を持たないため、分子の化学結合に
よる着色よりは染料分子をポリカーボネート高分子に絡めるイメージでの着色が望ましく
、例えばグリコールエーテル系の染料を用いることが考えられる。この場合、成形後のデ
ィスクを染料に付けておくことでむらなく半透明に淡い着色が出来、従来の成形工程を汚
さず染色工程を別付けに出来るため、普通の透明な光ディスクと平行して生産・量産でき
るメリットがある。ただし、もちろん樹脂ペレットに染料を混錬して射出成形しても良く
、更には元々着色された樹脂ペレットを用いて射出成形しても良い。
【００２４】
着色方法の他の一例としては、反射膜を多層（簡単には２層）にして光の干渉を用いて
着色を行うものである。図４は反射膜を２層構造とした両面タイプの光ディスクの一部を
示す。
【００２５】
図４に示すように、光ディスクは入射レーザー光１、２側から順にポリカーボネート３
６、干渉膜３０、反射膜３２、紫外線硬化樹脂３４・・・等の構成をしている。特に、反
射膜は２層になっており、干渉膜３０は屈折率ｎ，厚さｄ（ｎｍ）とし、反射膜３２は全
反射とする。このとき入射レーザー光は図中の入射レーザー光１及び入射レーザー光２の
光路をとり得るが、その光路差が入射レーザー光波長の半波長に等しいとき互いに打ち消
しあってその波長の光は弱くなる。
【００２６】
前述したように赤と青に発色させるためには、その補色であるシアンと黄色を吸収させ
ればよいため、
ｄ＝λ・（２ｍ＋１）／４ｎ
（ｍ＝０，１，２・・・、λ：シアン若しくは黄色の波長）
の関係が成り立つように反射膜を設計すれば良い。こうして反射膜にて補色が吸収され
れば、目視した際に結果的に赤や青に着色されて見える。
このようなディスク成形材料の染色や反射膜の工夫により、ディスク面を目視した際に
赤色や青色に見えるようにすることが出来る。赤色レーザーにて情報を読み出すＤＶＤは
赤、青色レーザーにて情報を読み出すＨＤ  ＤＶＤ（あるいはＢＤ）は青、のように利用
者のイメージに沿った色をディスク面に持たせることで、レーベル印刷が出来ないといっ
た両面タイプの光ディスクの欠点を補い、利用者が容易に情報記録面の判別を出来るとい
った効果をあげることができる。
【００２７】
また本実施例のディスク着色方法は、成形工程の後に簡単な染色工程を導入する、若し
くは反射膜の手前に屈折率の違う層を追加で設ける、といったコストが最小限かつ通常の
片面タイプディスク生産の妨げにならない形での製造ラインの改造で実施できることも利
点である。
【００２８】
次に、上述した光ディスクに記録された情報を再生する光ディスク装置について説明す
る。図５は、光ディスクを再生するための光ディスク装置の概略構成を示すブロック図で
ある。図５に示すように、光ディスクは例えば図４に示した両面タイプの光ディスクであ
る。光源には短波長の半導体レーザ光源１２０が用いられる。その出射光の波長は、例え
ば４００ｎｍ〜４１０ｎｍの範囲の紫色波長帯のものである。半導体レーザ光源１２０か
らの出射光１００は、コリメートレンズ１２１により平行光となり偏光ビームスプリッタ
１２２、λ／４板１２３を透過して、対物レンズ１２４に入射される。その後、光ディス
クＤの基板を透過し、各情報記録層に集光されるようになっている。光ディスクＤの情報
記録層による反射光１０１は、再び光ディスクＤの基板を透過し、対物レンズ１２４、λ
／４板１２３を透過し、偏光ビームスプリッタ１２２で反射された後、集光レンズ１２５
を透過して光検出器１２６に入射される。
【００２９】
光検出器１２７の受光部は、通常複数に分割されておりそれぞれの受光部から光強度に
応じた電流を出力する。出力された電流は、図示しないＩ／Ｖアンプ（電流電圧変換）に
より電圧に変換された後、演算回路１４０に入力される。入力された電圧信号は、演算回
路１４０によりチルト誤差信号及びＨＦ信号及びフォーカス誤差信号及びトラック誤差信
号などに演算処理される。チルト誤差信号はチルト制御を行うためのものであり、ＨＦ信
号は光ディスクＤに記録された情報を再生するためのものであり、フォーカス誤差信号は
フォーカス制御を行うためのものであり、またトラック誤差信号はトラッキング制御を行
うためのものである。
【００３０】
対物レンズ１２４はアクチュエータ１２８にて上下方向、ディスクラジアル方向、およ
びチルト方向(ラジアル方向または／およびタンジェンシャル方向)に駆動可能であり、サ
ーボドライバ１５０によって光ディスクＤ上の情報トラックに追従するように制御される
。なお、チルト方向には２種類ある。光ディスクの中心に向かってディスク面が傾くこと
で生じる「ラジアルチルト」と、トラックの接線方向に生じる「タンジェンシャルチルト
」とがある。このうちディスクの反りで一般に生じるのはラジアルチルトである。単にデ
ィスク製造時に生じるチルトだけではなく、経年変化や使用環境の急変で生じるチルトも
考慮する必要がある。  このような光ディスク装置を用いて、本発明の光ディスクを再生
することができる。
【００３１】
なお、本願発明は、上記実施形態に限定されるものではなく、実施段階ではその要旨を
逸脱しない範囲で種々に変形することが可能である。例えば、本実施形態ではＤＶＤとＨ
Ｄ  ＤＶＤの両面タイプのディスクを例に挙げたが、通常の外径１２０ｍｍのディスク以
外にも、赤色レーザーで再生する面と青色レーザーで再生する面をもつ両面タイプのディ
スクであれば、外径８０ｍｍのディスクでも良く、ＤＶＤとＢＤの組み合わせでも良く、
また１面当たり２層以上のディスクでも良い。また材料についても、例えばディスク成形
材料はポリカーボネート以外にアクリルやシクロオレフィンポリマーでも良く、反射膜材
料も金属以外に金属酸化物や誘電体などを用いても良い。
【図面の簡単な説明】
【００３２】
【図１】本発明の実施形態に係る両面光ディスクの構造図を示す図。
【図２】片面タイプの光ディスクの構造図を示す図。
【図３】両面光ディスクの製造方法の流れを示した図。
【図４】本発明の両面光ディスクの構造の一部を示す図。
【図５】光ディスクを再生するための光ディスク装置の概略構成を示すブロック図。
【符号の説明】
【００３３】
１０…ＤＶＤ成形基板、１５・・・金型、１７…Ｎｉスタンパ、２１…反射膜、２７・・
・ＨＤ  ＤＶＤ成形基板、３０・・・干渉膜、３２・・・反射膜、３４・・・紫外線硬化
樹脂
【図１】
2008084440.tif 000003
【図２】
2008084440.tif 000004
【図３】
2008084440.tif 000005
【図４】
2008084440.tif 000006
【図５】
2008084440.tif 000007